(57)【要約】【課題】  利用者にとっての記憶力負担、発声する際に体力的負担及び訛り等の発音矯正負担を軽減させる。【解決手段】  ホームページの中からリンク情報を検索するリンク情報検索手段２１と、検索されたリンク情報毎に連続する数字或いは同一文字体系中の連続する文字を割り当てる割当手段２２と、割り当てられた数字或いは文字とリンク情報を対応付けて音声化し、音声を発生する音声発生手段１５から出力する音声出力制御手段２３と、前記リンク情報と対応付けられた数字或いは文字の音声が、音声を入力する音声入力手段１６から入力されると、この数字或いは文字に対応するリンク情報を用いてリンクへジャンプするジャンプ制御手段２４とを具備する。【選択図】  図１
2006053709.tif 000002
【特許請求の範囲】
【請求項１】
ホームページの中からリンク情報を検索するリンク情報検索手段と、
検索されたリンク情報毎に連続する数字或いは同一文字体系中の連続する文字を割り当てる割当手段と、
割り当てられた数字或いは文字とリンク情報を対応付けて音声化し、音声を発生する音声発生手段から出力する音声出力制御手段と、
前記リンク情報と対応付けられた数字或いは文字の音声が、音声を入力する音声入力手段から入力されると、この数字或いは文字に対応するリンク情報を用いてリンクへジャンプするジャンプ制御手段と
を具備することを特徴とするデータ通信端末。
【請求項２】
割当手段は、リンク情報に対し数字を１から順に割り当てることを特徴とする請求項１に記載のデータ通信端末。
【請求項３】
割当手段は、リンク情報に対しアルファベットの文字をａから順に割り当てることを特徴とする請求項１に記載のデータ通信端末。
【請求項４】
インターネットを介してホームページへアクセスするホームページアクセス手段と、与えられる文字情報を音声化する音声化手段及び音声を発生する音声発生手段と、音声を入力するための音声入力手段及び入力された音声をコンピュータ処理可能な情報へ変換する変換手段と、プログラムを実行することにより上記ホームページアクセス手段を実現するコンピュータを備えるデータ通信端末の前記コンピュータに実行されるジャンプ制御用プログラムにおいて、
ホームページの中からリンク情報を検索するリンク情報検索ステップと、
検索されたリンク情報毎に連続する数字或いは同一文字体系中の連続する文字を割り当てる割当ステップと、
割り当てられた数字或いは文字とリンク情報を対応付けて音声化し、音声を発生する音声発生手段から出力する音声出力制御ステップと、
前記リンク情報と対応付けられた数字或いは文字の音声が、音声を入力する音声入力手段から入力されると、この数字或いは文字に対応するリンク情報を用いてリンクへジャンプするジャンプ制御ステップと
を上記コンピュータに実現させることを特徴とするジャンプ制御用プログラム。
【請求項５】
割当ステップでは、リンク情報に対し数字を１から順に割り当てることを特徴とする請求項４に記載のジャンプ制御用プログラム。
【請求項６】
割当ステップでは、リンク情報に対しアルファベットの文字をａから順に割り当てることを特徴とする請求項４に記載のジャンプ制御用プログラム。
【発明の詳細な説明】
【技術分野】
【０００１】
この発明は、ホームページの中のリンク情報を読み上げ、入力される音声に基づき所要のリンクへジャンプする機能を備えるデータ通信端末及びデータ通信端末のコンピュータに実行されるジャンプ制御用プログラムに関するものである。ここに、データ通信端末としては、パーソナルコンピュータだけに限らず、インターネットに接続されホームページを表示する手段、音声発生を行うスピーカなどの音声発生手段、音声を入力するマイクロホンなどの音声入力手段、装置全体を統括制御するコンピュータを備えたものであれば、携帯電話機なども含まれる。
【背景技術】
【０００２】
従来、ＨＴＭＬで作成されたホームページを、ハンディキャップユーザ（特に視覚障害者）が利用する際において、その身体的不利条件によって生じる利用障壁を解決する手段として、（１）ユーザの発生する音声を認識する手段を備え、マウスやキーボードによる操作の代わりに利用者の音声にて操作できるようにしている。また、（２）肉眼でホームページを閲読する代わりにコンピュータが合成音声で本文を読み上げ、それを聞き取ることで閲読できるようにする。
【０００３】
これらの手段は組み合わされ、ソフトウェア製品（例えば、ＩＢＭ  ＶＩＡ  ｖｏｉｃｅ）として既に実現されており、一般にも広く流通し、多くのハンディキャップユーザに利用されている。係る従来のソフトウェアはいずれも、リンクを含むホームページ本文の内容を音声読み上げし、利用者はその内容を聞き取ってホームページ本文の情報を得つつ、そのなかに自分がジャンプしたいと思うリンクがあった場合には、聞き取り最中にそのリンクのフレーズを一旦記憶し、然る後に、前に記憶したリンクフレーズの全てまたは一部を復唱するごとく自らの声で発声し、それをコンピュータが音声認識することによって目的のリンクにジャンプするような構成が採用されている。
【特許文献１】特開２００３−３２３１９１号公報
【特許文献２】特開平１１−２４９８６７号公報
【発明の開示】
【発明が解決しようとする課題】
【０００４】
しかしながら、以下３つの点において、利用者に必要以上の負担を強いる問題点がある。まず第１に、利用者に必要以上の記憶力を強いることである。即ち、晴眼者と異なり視覚障害者は音声認識によりリンクジャンプするためにはリンクのフレーズを一旦記憶しなければならない。ところが世の中のホームページを見ると、そのフレーズが長い場合も多い。フレーズの部分的な復唱でも良いとする製品も存在するが、こうした長いフレーズを聞き取っている最中の利用者は、フレーズをどこまで覚えたらよいか戸惑いながら、結局、限界いっぱいまで記憶力を要求する結果となってしまう。
【０００５】
第２に、利用者に必要以上の体力を強いることである。即ち、リンクにジャンプするには、リンクフレーズを発声しなければならない。一般ユーザがマウスを１回クリックするだけの体力負担で済むところを、全てのフレーズの復唱ではないにしても、一言以上のフレーズを必ず発声しなければならない。声を出すという運動は長時間にわたれば体力的な負担となるものであり、利用者に必要以上の体力を強いてしまう結果となる。
【０００６】
第３に、利用者に必要以上の発音矯正を強いることである。つまり、日本においては、居住地域によってかなり発音のイントネーションが異なる。いわゆる「訛り」であるが、現状の音声認識技術では、これを完全に吸収し、どのようなイントネーションであっても問題なく認識できるまでには至ってない。したがって、音声認識技術側が想定していないイントネーションを常用している利用者にとっては、リンクフレーズを発声するうえで、使い慣れないイントネーションへの矯正を強いてしまう。
【０００７】
本発明は上記の問題点を解決するために、利用者にとっての記憶力負担を大きく軽減させる。また、リンクジャンプを指示する場合においても、発声する際に、利用者にとって体力的負担が大きく軽減でき、更に、発音矯正を要する負担についても軽減することができるデータ通信端末及びデータ通信端末のコンピュータに実行されるジャンプ制御用プログラムを提供する。
【課題を解決するための手段】
【０００８】
本発明に係るデータ通信端末は、ホームページの中からリンク情報を検索するリンク情報検索手段と、検索されたリンク情報毎に連続する数字或いは同一文字体系中の連続する文字を割り当てる割当手段と、割り当てられた数字或いは文字とリンク情報を対応付けて音声化し、音声を発生する音声発生手段から出力する音声出力制御手段と、前記リンク情報と対応付けられた数字或いは文字の音声が、音声を入力する音声入力手段から入力されると、この数字或いは文字に対応するリンク情報を用いてリンクへジャンプするジャンプ制御手段とを具備することを特徴とする。
【０００９】
本発明に係るデータ通信端末では、割当手段が、リンク情報に対し数字を１から順に割り当てることを特徴とする。
【００１０】
本発明に係るデータ通信端末では、割当手段が、リンク情報に対しアルファベットの文字をａから順に割り当てることを特徴とする。
【００１１】
本発明に係るジャンプ制御用プログラムは、インターネットを介してホームページへアクセスするホームページアクセス手段と、与えられる文字情報を音声化する音声化手段及び音声を発生する音声発生手段と、音声を入力するための音声入力手段及び入力された音声をコンピュータ処理可能な情報へ変換する変換手段と、プログラムを実行することにより上記ホームページアクセス手段を実現するコンピュータを備えるデータ通信端末の前記コンピュータに実行されるジャンプ制御用プログラムにおいて、ホームページの中からリンク情報を検索するリンク情報検索ステップと、検索されたリンク情報毎に連続する数字或いは同一文字体系中の連続する文字を割り当てる割当ステップと、割り当てられた数字或いは文字とリンク情報を対応付けて音声化し、音声を発生する音声発生手段から出力する音声出力制御ステップと、前記リンク情報と対応付けられた数字或いは文字の音声が、音声を入力する音声入力手段から入力されると、この数字或いは文字に対応するリンク情報を用いてリンクへジャンプするジャンプ制御ステップとを上記コンピュータに実現させることを特徴とする。
【００１２】
本発明に係るジャンプ制御用プログラムでは、割当ステップにおいて、リンク情報に対し数字を１から順に割り当てることを特徴とする。
【００１３】
本発明に係るジャンプ制御用プログラムでは、割当ステップにおいて、リンク情報に対しアルファベットの文字をａから順に割り当てることを特徴とする。
【発明の効果】
【００１４】
以上説明したように、本発明によれば、リンク情報毎に連続する数字或いは同一文字体系中の連続する文字を割り当て、割り当てられた数字或いは文字とリンク情報を対応付けて音声化し、音声を出力すると共に、上記リンク情報と対応付けられた数字或いは文字の音声が入力されると、この数字或いは文字に対応するリンク情報を用いてリンクへジャンプするので、ユーザはリンク情報をそのまま記憶するのではなく、数字や文字で記憶し、発音すればよく、負担が軽減される。
【発明を実施するための最良の形態】
【００１５】
ユーザがリンク情報をそのまま記憶する必要をなくするという目的を、リンク情報毎に連続する数字或いは同一文字体系中の連続する文字を割り当てることにより、数字や文字で記憶すれば良くすることで実現した。また、ユーザがリンク情報をそのまま発声入力する必要をなくするという目的を、リンク情報毎に連続する数字或いは同一文字体系中の連続する文字を割り当てることにより、数字や文字によって発音すれば良くすることで実現した。以下、添付図面を参照して本発明に係るデータ通信端末及びデータ通信端末のコンピュータに実行されるジャンプ制御用プログラムの実施例を説明する。各図において、同一の構成要素には、同一の符号を付して重複する説明を省略する。
【実施例１】
【００１６】
図１に、本発明の実施例に係るデータ通信端末の構成例を示す。データ通信端末は、制御部１０に対して、音声処理部１１、通信処理部１２、表示部１３及び操作入力部１４が接続された構成であり、例えばパーソナルコンピュータにより実現される。音声処理部１１には、音声発生を行うスピーカなどの音声発生手段１５、音声を入力するマイクロホンなどの音声入力手段１６が接続されている。通信処理部１２は回線１７を介してインターネットに接続される。表示部１３はＣＲＴやＬＣＤなどを有し、情報表示を行う。操作入力部１４はキーボードやマウスであり、ユーザによる情報入力を可能とする。
【００１７】
制御部１０はＣＰＵやプログラムメモリにより構成されており、リンク情報検索手段２１、割当手段２２、音声出力制御手段２３、ジャンプ制御手段２４を備えている。制御部１０には、Ｗｅｂブラウザ２０が備えられており、インターネットにおけるサーバへアクセスしてホームページデータを得て、表示部１３へ表示を行う。リンク情報検索手段２１は、Ｗｅｂブラウザ２０がインターネットにおけるサーバへアクセスして得たホームページの情報中からリンク情報を検索するものである。割当手段２２は、検索されたリンク情報毎に連続する数字或いは同一文字体系(アルファベットの文字体系、日本語のいろはに・・・という文字体系など)中の連続する文字を割り当てるものである。音声出力制御手段２３は、割当手段により割り当てられた数字或いは文字とリンク情報を対応付けて音声化し、音声を発生する音声発生手段から出力するものである。ジャンプ制御手段２４は、前記リンク情報と対応付けられた数字或いは文字の音声が、音声を入力する音声入力手段から入力されると、この数字或いは文字に対応するリンク情報を用いてリンクへジャンプするものである。
【００１８】
上記のような制御部１０に備えられた各手段は、例えば、プログラムメモリに備えられたジャンプ制御用プログラムが実行されることにより実現される。このジャンプ制御用プログラムの処理をフローチャートによって示すと、図２に示される如くになるので、このフローチャートに従って動作を説明する。まず、ジャンプ制御用プログラムが動作する前に、ユーザによってＷｅｂブラウザ２０が起動され、例えば、Ｗｅｂブラウザ２０に設定された最初に表示するホームページのアドレス（ＵＲＬ）に基づいてサーバへアクセスし、ホームページの表示データを得て表示部１３へ表示を行う。この結果、表示部１３には、例えば、図３に示すようなホームページが表示されたものとする。このホームページの文書がホームページ記述言語、例えば、ＨＴＭＬにより記述された図４に示されるような文書であるとして、説明を行う。
【００１９】
ホームページの文書であるホームページ記述言語が得られたときに、ＣＰＵは上記ジャンプ制御用プログラムを実行し、ホームページ記述言語であるＨＴＭＬ文書を読み込み（Ｓ１）、ホームページ記述言語中のリンク定義要素を検索してリンク情報を抽出する（Ｓ２：リンク情報検索ステップ）。ここで、リンク定義要素は、図４に示された例においては、「a href="./link1.htm"」や「a href="./link２.htm" 」である。１つのリンク定義情報の開始については、上記リンク定義要素により検出し、その終了については、「＜/a ＞」によって検出する。上記のようにして、ホームページ内のリンク情報を検出し図５の内容の如くに保持すると、１つのリンク情報毎に数字「１」から通し番号を付与してゆく（Ｓ３：割当ステップ）。図５の内容のリンク情報に通し番号を付して保持した状態を図６に示す。
【００２０】
リンク情報に対して通し番号の付与を終了すると、通し番号が付されたリンク情報を含んだホームページ内の文書を音声として出力するために、読み上げ用の台詞に上記で付与した番号を挿入する処理を行い（Ｓ４：音声出力制御ステップ）、番号が挿入された台詞（文書）を保持する。番号が挿入された台詞（文書）の例を図７に示す。図７において、下線が付された部分が挿入された文である。
【００２１】
次にＣＰＵは、番号が挿入された台詞（文書）のデータを音声処理部１１へ送って音声化させ音声発生手段から出力を行わせ、読み上げを実行する（Ｓ５：音声出力制御ステップ）。また、ホームページのデータに対して上記番号を加えて、リンク情報と番号の関係を明らかにした表示データを作成し、表示部１３へ送り表示を行わせる（Ｓ６）。表示部１３に表示されたホームページ（番号付き）を図８に示す。
【００２２】
表示部１３への表示に次いで、音声入力手段１６からユーザによる音声入力を待ち、入力される音声の認識を開始する（Ｓ７：ジャンプ制御ステップ）。上記ステップＳ５においては、図７に示された台詞に基づき、『「ここはホームページ本分です。」、「１つめのリンク。」は、リンク１番。「２つめのリンクはとても長いフレーズになっています」は、リンク２番。』と読み上げが行われるため、ユーザは、上記２つのリンク情報の内、所望するリンクの番号を音声入力する。これを上記ステップＳ７において認識を開始し、例えばユーザが「に（２）」と発音することに応じてリンク番号２を認識し（Ｓ８：ジャンプ制御ステップ）、リンク番号２に対応するリンク情報（./link２.htm" ）を図６に示すように対応付けて保持した情報から得て、このリンク情報へ基づきリンクへのジャンプを行う（Ｓ９：ジャンプ制御ステップ）。
【００２３】
該当リンク先へジャンプすると、リンク先のサーバからホームページ情報を得て、再び、ステップＳ１からの処理を行う。以上のようにして、本発明に係るデータ通信端末の実施例によれば、ホームページ中におけるページ先頭からのリンク情報に対し、ソフトウェアによって自動的に１から通し番号を与えるものである。その番号は、画面のリンク情報の例えば脇に表示されるほか、読み上げ中のリンクフレーズの最後に「〜はリンクｘ番」のように自動的に挿入され発音されるものである。ここに、ｘは通し番号を表している。音声入力によるリンクジャンプ指示の際には、ユーザがこの番号を発声することによって行うものである。
【００２４】
以上により、第１に、記憶力負担の軽減がなされる。つまり、記憶するべき内容が、リンクフレーズではなく番号だけなので、利用者にとっての記憶力負担が大きく軽減される特徴がある。第２に、体力的負担の軽減がなされるものである。即ち、リンクジャンプを指示する場合においても、リンクフレーズではなく、常に一言、該当する番号を発声するだけで良いので、利用者によっての体力的負担が大きく軽減される。第３に、発音矯正負担の軽減がなされる。つまり、リンクジャンプの場合音声指示を、あらゆる文章が入りうるリンクフレーズの復唱によるものではなく、数字の発声だけで可能であるため、それだけ発音矯正を強いる範囲も小さくなり、負担が大きく軽減されるものである。
【００２５】
なお、上記においては、リンク情報に対し数字を１から順に割り当てたが、リンク情報毎に同一文字体系中の連続する文字を割り当てるようにしても良い。つまり、リンク情報に対しアルファベットの文字をａから順に割り当て、或いはリンク情報に対し日本語の文字を、い、ろ、は、に、・・・と割り当て、或いは、あ、い、う、え、・・・と割り当てるようにしても良い。
【図面の簡単な説明】
【００２６】
【図１】本発明の実施例に係るデータ通信端末の構成図。
【図２】本発明の実施例に係るデータ通信端末の動作を説明するためのフローチャート。
【図３】ホームページ文書の例を示す図。
【図４】ＨＴＭＬにより記述されたホームページ文書の例を示す図。
【図５】ホームページ文書から抽出されたリンク情報の例を示す図。
【図６】ホームページ文書から抽出されたリンク情報に対し数字を割り当てた例を示す図。
【図７】本発明の実施例に係るデータ通信端末の動作において読み上げを行う台詞を示す図。
【図８】本発明の実施例に係るデータ通信端末の動作において表示されるホームページ文書の例を示す図。
【符号の説明】
【００２７】
１０  制御部
１１  音声処理部
１２  通信処理部
１３  表示部
１４  操作入力部
１５  音声発生手段
１６  音声入力手段
２０  Ｗｅｂブラウザ
２１  リンク情報検索手段
２２  割当手段
２３  音声出力制御手段
２４  ジャンプ制御手段
【図１】
2006053709.tif 000003
【図２】
2006053709.tif 000004
【図３】
2006053709.tif 000005
【図４】
2006053709.tif 000006
【図５】
2006053709.tif 000007
【図６】
2006053709.tif 000008
【図７】
2006053709.tif 000009
【図８】
2006053709.tif 000010